(57)【要約】【課題】本発明は、連結部材がなかったり、中間支柱の追加をまったく想定していない什器に対してもその什器を分解することなく中間支柱を追加できるようにすることを目的とする。【解決手段】上記目的を達成するために、本発明の中間支柱追加ユニットは、前記棚板取付孔と同様な棚板取付孔を前面に有する中間支柱と、この支柱の上下端部を保持する支柱保持ブラケットと、このブラケットを固定する上下の梁部材とからになり、この梁部材の両端に前記左右の支柱に形成した棚板取付孔に取り付けるブラケットが設けてあることを特徴とする構成を採用した。【選択図】図１
2006289033.tif 000002
【特許請求の範囲】
【請求項１】
棚板に形成したブラケットを取り付ける棚板取付孔を上下に一定間隔で前面に形成してなる支柱を左右両端に設けてある什器に対し中間支柱を追加するユニットであって、前記棚板取付孔と同様な棚板取付孔を前面に有する中間支柱と、この支柱の上下端部を保持する支柱保持ブラケットと、このブラケットを固定する上下の梁部材とからになり、この梁部材の両端に前記左右の支柱に形成してある棚板取付孔に取り付けるブラケットが設けてあることを特徴とする中間支柱追加ユニット
【請求項２】
前記請求項１に記載の中間支柱追加ユニットにおいて、前記梁部材の少なくとも一方に、支柱保持ブラケットに保持した中間支柱の抜け出しを阻止する抜出し阻止構造が設けてあることを特徴とする中間支柱追加ユニット
【請求項３】
前記請求項１又は２の何れかに記載の中間支柱追加ユニットにおいて、前記支柱保持ブラケットは、前記梁部材に対し着脱自在に取り付けてあることを特徴とする中間支柱追加ユニット
【請求項４】
前記請求項１から３の何れかに記載の中間支柱追加ユニットにおいて、前記支柱保持ブラケットは、前記梁部材に対し横方向に位置調整可能に取り付けてあることを特徴とする中間支柱追加ユニット
【発明の詳細な説明】
【技術分野】
【０００１】本発明は、棚板に形成したブラケットを取り付ける棚板取付孔を上下に一定間隔で前面に形成してなる支柱を左右両端に設けてある什器に対し中間支柱を追加するユニットに関し、特に、左右の支柱を繋ぐ連結部材がない什器に対しても簡単に中間支柱を追加できる中間支柱追加ユニットに関する。
【背景技術】
【０００２】商品陳列に用いられる什器は、店舗内装の変更に対応して陳列棚板の配置を変更できるようにするのが、内装の自由度と店舖スペースの有効利用に効果的である。
このような要望に対し、中間支柱を什器に追加する技術が特公昭６２−１９１６６号、実公昭６３−４５９７８号及び特開２００２−２０９６８９号の各公報により開示されている。
これら公知の技術は、いずれも左右の支柱を連結する連結部材を有する什器を対象にするものであり、その連結部材に中間支柱を取り付けるものであった。
このため、連結部材を持たない什器には利用できず、又、連結部材にも、中間支柱を取り付けるための構成を予め有さしめておくなどの条件が整わなければならず、このような条件を満たさない場合は中間支柱の追加が不可能である。
【発明の開示】
【発明が解決しようとする課題】
【０００３】
【０００４】本発明は、このような実情にかんがみ、連結部材がなかったり、中間支柱の追加をまったく想定していない什器に対してもその什器を分解することなく中間支柱を追加できるようにすることを目的とする。
【課題を解決するための手段】
【０００５】上記目的を達成するために、本第一発明の中間支柱追加ユニットは、左右の支柱の棚板取付孔と同様な棚板取付孔を前面に有する中間支柱と、この支柱の上下端部を保持する支柱保持ブラケットと、このブラケットを固定する上下の梁部材とからになり、この梁部材の両端に前記左右の支柱に形成してある棚板取付孔に取り付けるブラケットが設けてあることを特徴とする構成を採用した。
【発明の効果】
【０００６】このように構成することで、什器の左右両端にある支柱に梁部材を取り付けることで中間支柱を追加することができるので、連結部材がない什器や連結部材に中間支柱取り付け用の構造を有さない什器に対しても、中間支柱を追加することができた。
さらに、梁部材の取付けが左右の支柱の前面にある棚板取付孔を利用して棚板の取り付けと同様に行えるので、中間支柱の追加や取外しのために重い什器を移動させたり分解するようなことは全く必要がなく、作業量を著しく軽減できた。
【課題を解決するための手段】
【０００７】本第二発明は、前記第一発明の中間支柱追加ユニットにおいて、前記梁部材の少なくとも一方に、支柱保持ブラケットに保持した中間支柱の抜け出しを阻止する抜出し阻止構造が設けてあることを特徴とする構成を採用した。
【発明の効果】
【０００８】このようにすることで、中間支柱から棚板を取り外す場合にも、中間支柱が友ずれして梁部材から外れるという事態を防止し、棚板の移動や取替えが容易に行えるようになった。
【課題を解決するための手段】
【０００９】本第三発明は、前記第一又は第二発明の中間支柱追加ユニットにおいて、前記支柱保持ブラケットは、前記梁部材に対し着脱自在に取り付けてあることを特徴とする構成を採用した。
【発明の効果】
【００１０】このようにすることで、使用する棚板の幅が変わり中間支柱の位置を変更する場合、中間支柱を保持するブラケットの梁部材への取り付け箇所を変更することによって対応できるようになった。
【課題を解決するための手段】
【００１１】本第四発明は、前記第一から第三発明の何れかの中間支柱追加ユニットにおいて、前記支柱保持ブラケットは、前記梁部材に対し横方向に位置調整可能に取り付けてあることを特徴とする構成を採用した。
【発明の効果】
【００１２】このようにして、中間支柱の取り付け位置を横方向で自由に変更できるので、棚板の幅に対応した位置に中間支柱を保持することができるようになった。
【発明を実施するための最良の形態】
【００１３】以下に、本発明の最良の実施形態を例示するが、本発明はこれによって限定されるものではない。
【実施例１】
【００１４】本実施例において対象とする什器は、前面に２列の棚板取付孔（１ａ）（２ａ）を有する左右の支柱（１）（２）とこの支柱（１）（２）を連結する背面パネル（３）と前記左右支柱（１）（２）の下端に固定した基盤アーム（４）（５）とこの基盤アーム（４）（５）を連結する基盤金具（６）により構成されている。
以下に中間支柱追加ユニットの実施例を説明する。【００１５】中間支柱（３０）は、前面に２列の棚板取付孔（３０ａ）を形成した角柱であり、前記左右の支柱（１）（２）よりも奥行きを小さくして、前記背面パネル（３）の前においても、左右の支柱（１）（２）より前に突出しないようにしてある。
梁部材（１０）（２０）は、左右に前記棚板取付孔（１ａ）（２ａ）に取り付けるためのブラケット（１１）が固定してある。
このブラケット（１１）は、前記棚板取付孔（１ａ）（２ａ）に突入して裏側に回りこむ辺を持つ突起（１１ａ）と、前記棚板取付孔（１ａ）（２ａ）に突入して、垂直な移動を阻止する突起（１１ｂ）とを一枚の板に形成してある。
このようにして前記突起（１１ａ）を前記棚板取付孔（１ａ）（２ａ）に突入させて下側に押下げ、その後突起（１１ｂ）を別の棚板取付孔（１ａ）（２ａ）に突入させることにより、左右の支柱（１）（２）に対し垂直に持ち上げても脱落しないようにしてある。【００１６】梁部材（１０）（２０）にはそれぞれ前記中間支柱（３０）を嵌め込む角筒状のブラケット（１２）（２２）が、中間支柱間及び中間支柱と左右の支柱間の間隔が同じになるようにして中間２箇所に固定してある。
上部の梁部材（１０）に固定したブラケット（１２）は、内面（１２ａ）が前記中間支柱（３０）の外形と同様な上下が開放された角筒状に形成してある。
下部の梁部材（２０）に固定したブラケット（２２）は、内面（２２ａ）が前記中間支柱（３０）の外形と同様な角筒状に形成してあり、底部は底板（２２ｂ）にて閉止して、差込んだ中間支柱（３０）が下方へ落下しないようにしてある。
なお、中間支柱（３０）の長さは、取り付け状態で、棚板取付孔（３０ａ）（１ａ）（２ａ）が同じレベルに位置するようにしてある。また、ブラケット（１２）（２２）の中空部の位置は、前記左右支柱（１）（２）と前記中間支柱（３０）の前面は、同一平面上に位置するようにして設定してある。【００１７】前記下部梁部材（２０）には、中間支柱（３０）の抜出しを阻止する抜出し阻止構造が以下のようにして設けてある。
梁部材（２０）のブラケット（２２）の固定箇所を前後の貫通するバカ孔（２３）が形成してあり、このバカ孔（２３）に対向して前記ブラケット（２２）にねじ孔（２２ｃ）が貫通してある。前記中間支柱（３０）の下端部で、前記ねじ孔（２２ｃ）に差込状態で対向する位置に、嵌込み孔（３１）が形成してある。
このようにして、先端にピン（２５ａ）を有するボルト（２５）を前記バカ孔（２３）を通して前記ねじ孔（２２ｃ）にねじ込むことにより、ピン（２５ａ）を前記嵌込み孔（３１）に突入させて、中間支柱（３０）の抜出しを阻止するようにしてある。【００１８】以上のようにして、既存の什器に対し、２本の中間支柱（３０）を追加できるようにしてある。
図５に示すように、この追加により、本来なら棚板（Ａ）のみが使用可能であった什器が、その２／３に幅の棚板（Ｂ）あるいは、１／３の幅の棚板（Ｃ）をも使用可能になった。
【実施例２】
【００１９】本実施例は、梁部材にブラケットを着脱自在に取り付ける構造の例を示す。
上部の梁部材（１１０）には、所定の間隔で、上面に横長孔（１１０ａ）とその中央部の背面溝（１１ｂ）が形成してある。一方筒状ブラッケット（１１２）の前面には平面視逆Ｔの字状のレール（１１２ｂ）が固定してある。
このようにしてレール（１１２ｂ）を前記横長孔（１１０ａ）に突入させ、このレール（１１２ｂ）と前記ブラケット（１１２）との間で前記梁部材（１１０）の背面板を挟み込んで取り付けるようにしてある。【００２０】下部の梁部材（１２０）にも前記同様に、上面に横長孔（１２０ａ）とその中央部の背面溝（１２０ｂ）が形成してある。
下部のブラケット（１２２）の前面には、ボルト（２５）をねじ込むねじ孔（１２２ｃ）の上下にＴの字状のレール（１２２ｅ）（１２２ｆ）が固定してある。（１２２ａ）は内面、（１２２ｂ）は底板である。（１２３）は、前記ボルト（２５）を通すバカ孔である。
このようにして、レール（１２２ｅ）（１２２ｆ）を前記横長孔（１２０ａ）に突入させ、このレール（１２２ｅ）（１２２ｆ）と前記ブラケット（１２２）との間で前記梁部材（１２０）の背面板を挟み込んで取り付けるようにしてある。
そして、ボルト（２５）を前記バカ孔（１２３）を通し、ねじ孔（１２２ｃ）にねじ込むと、前記ボルト（２５）の先端ピン（２５ａ）が前記中間支柱（３０）の嵌込み孔（３１）に突入させて、中間支柱の抜出しを阻止するようにしてある。
その他の点は前記実施例１と同様なので説明を省略する。【００２１】各種の棚部材の横幅に合わせ、多数の横長孔（１１０ａ）（１２０ａ）と背面溝（１１ｂ）（１２０ｂ）を形成してた梁部材（１１０）（１２０）を用いた場合は、使用する棚部材の幅に合わせ、必要な中間支柱の分のみ、ブラケット（１１２）（１２２）を梁部材に取り付けて使用すれば良い。また、ディスプレーの変更などにより、中間支柱の位置を変更する場合にも、ブランケットの嵌め込み箇所を変更することにより対応できるようになった。
また、常時使用することが予想される箇所には前記実施例１に示すような固定型のブラケットを用い、その他の箇所に本実施例のような取替え式を用いることも可能である。
【実施例３】
【００２２】本実施例は、梁部材に対する中間支柱保持ブラケットの横位置を調整可能にする構成例を示す。
上部のブラケット（２１２）に対し逆Ｌの字金具（２１２ｂ）の上端を固定し、この金具（２１２ｂ）と前記ブラケット（２１２）の間に上部の梁部材（１０）を位置させるようにしてある。そして、前記金具（２１２ｂ）の下部にバカ孔（２１２ｃ）を設け、前記ブラケット（２１２）の下部にねじ孔（２１２ｅ）を設けてある。
このゆにして、締付けボルト（２１２ｃ）を前記バカ孔（２１２ｃ）を通して前記ねじ孔（２１２ｅ）にねじ込むことで、前記金具（２１２ｂ）を前記梁部材（１０）に押さえつけて固定するようにしてある。【００２３】なお、図９に示すように逆Ｌの字金具（３１２ｂ）の中間部にねじ孔（３１２ｅ）を設け、締付けボルト（３１２ｃ）を前記ねじ孔（３１２ｅ）にねじ込み、前記ボルト（３１２ｃ）の先端で梁部材（１０）を押さえつけることで固定することも可能である。
上記いずれも、ブラケット（２１２）（３１２）を左右に移動し任意の箇所で梁部材に固定し得るようになった。【００２４】下部のブラケット（２２２）には、梁部材（２２０）の上下面に当たる案内リブ（２２２ｅ）（２２２ｆ）を固定してある。前記ブラケット（２２２）には、締付け抜け止めボルト（２２５）をねじ込むねじ孔（２２２ｃ）が形成してある。（２２２ａ）は内面、（２２２ｂ）は底板である。
下部の梁部材（２２０）には、前記ボルト（２２５）を通す横長状のバカ孔（２２３）（２２４）が設けてある。
このようにして、前記ボルト（２２５）をワッシャ（２２６）を介して前記バカ孔（２２３）（２２４）を通し、前記ねじ孔（２２２ｃ）にねじ込むことにより、前記ボルト（２２５）の前端に設けたピン（２２５ａ）を中間支柱（３０）の嵌込み孔（３１）に嵌め込むと共に、前記ブラケット（２２２）を梁部材（２２０）に押さえつけて固定するようにしてある。
その他の点は前記実施例１と同様なので説明を省略する。【００２５】このようにして、下部の梁部材（２２０）においても、横長バカ孔（２２３）（２２４）内において位置調整が可能なようにしてブラケット（２２２）を取り付けてある。なお、使用する横長バカ孔（２２３）（２２４）を変更することにより梁部材（２２０）の略全長にわたりブラケットを固定することが可能になった。【００２６】このように、ブラケット（２１２）（３１２）（２２２）の固定位置を調整可能にすることで、各種棚板の略全てを選択しようできるようになった。
【産業上の利用可能性】
【００２７】本発明は、商品陳列用の什器、特に片持ち状に棚板を保持する什器において、その機能を大幅に向上し、当初予定していた棚板のみならず、各種の幅の棚板を追加して使用するのに有用なものである。
なお、本発明は、図示したような什器に限らず、上下に左右の支柱を連結する連結部材を有するものに対しても適用可能である。
【図面の簡単な説明】
【図１】実施例１の使用状態を示す斜視図
【図２】実施例１の梁部材の端部を示す斜視図
【図３】実施例１の上部梁部材のブラケット取付け構造を示す切り欠き斜視図
【図４】実施例１の下部梁部材のブラケット取付け構造を示す切り欠き分解斜視図
【図５】実施例１を用い棚板を取り付けた上体を示す正面図
【図６】実施例２の上部梁部材の要部を示す切り欠き分解斜視図
【図７】実施例２の下部梁部材の要部を示す切り欠き分解斜視図
【図８】実施例３の上部梁部材の要部を示す縦断側面図
【図９】実施例３の上部梁部材の別例の要部を示す縦断側面図
【図１０】実施例３の下部梁部材の組立て状態を示す斜視図
【図１１】実施例３の下部梁部材の要部を示す切り欠き分解斜視図
【符号の説明】
【００２８】（１）左支柱
（１ａ）棚板取付孔
（２）右支柱
（２ａ）棚板取付孔
（３）背面パネル
（４）（５）基盤アーム
（６）基盤金具
（１０）（１１０）上部梁部材
（１１）ブラケット
（１１ａ）（１１ｂ）突起
（１１０ａ）横長孔
（１１０ｂ）背面溝
（１２）（１１２）（２１２）（３１２）上部ブラケット
（１２ａ）上部ブケット内面
（１１２ａ）上部レール
（２１２ｂ）（３１２ｂ）上部逆Ｌの字金具
（２１２ｄ）バカ孔
（２１２ｃ）（３１２ｃ）締付けボルト
（２１２ｅ）（３１２ｅ）ねじ孔
（２０）（１２０）下部梁部材
（２１）ブラケット
（２１ａ）（２１ｂ）突起
（２３）（１１３）（２２３）（２２４）バカ孔
（２２）（１２２）（２２２）下部ブラケット
（２２ａ）（１２２ａ）（２２２ａ）内面
（２２ｂ）（１２２ｂ）（２２２ｂ）底板
（２２ｃ）（１２２ｃ）（２２２ｃ）ねじ孔
（２２２ｅ）（２２２ｆ）案内リブ
（２１２）（３１２）抜け止めボルト
（２２５）締付け抜け止めボルト
（２２５ａ）ピン
（２２６）ワッシャ
（３０）中間支柱
（３０ａ）棚板取付孔
（３１）嵌込み孔
【図１】
2006289033.tif 000003
【図２】
2006289033.tif 000004
【図３】
2006289033.tif 000005
【図４】
2006289033.tif 000006
【図５】
2006289033.tif 000007
【図６】
2006289033.tif 000008
【図７】
2006289033.tif 000009
【図８】
2006289033.tif 000010
【図９】
2006289033.tif 000011
【図１０】
2006289033.tif 000012
【図１１】
2006289033.tif 000013